(57)【特許請求の範囲】
【請求項１】
胴体部分を形成する周壁と当該周壁の下端に繋がる底壁とを有して周壁と底壁によって形成された充填空間に内容物が充填される容器本体と、周壁の開口端に固定保持される装着筒および該容器本体の軸線に沿って延びる貫通路を有し、底壁の押し込みによって圧送された内容物が貫通路を通して外界に排出される一方、押し込みの解除によって外気が貫通路を通して吸入されるノズルとを備えたノズル付き押出容器であって、
周壁の開口端の内側に、ノズルの貫通路に向かって突出して充填空間から圧送された内容物を貫通路側に通じさせる開口部を有して先端部頂面がノズルの貫通路に直交する平面状の弁座としてなる仕切壁を設けると共に、当該仕切壁に弾性弁を設け、
当該弾性弁は、仕切壁に差し込まれる下端開口部が形成されるとともに該下端開口部の側から仕切壁の先端部頂面の側に向かって延在する延在部と該延在部に連なるとともに該延在部から離れるに連れて縮径する縮径部と該縮径部から内向きに折り返された折り返し部と該折り返し部に前記先端部頂面に向かって突出して設けられた環状の先端側端縁とを備えた筒状の基部を有し、当該筒状の基部の先端側端縁が当該弁座に全周に亘って着座して充填空間と貫通路との間を仕切ると共に、内容物の圧送により貫通路側に弾性変形することで弁座から離間して充填空間を貫通路に通じさせる吐出弁としてなる一方、
当該筒状の基部の外周側から突出した外周側端縁がノズルの装着筒に設けた弁座に全周に亘って着座して当該筒状の基部と装着筒との間に形成された環状の隙間と貫通路との間を仕切ると共に、環状の隙間に生じた負圧により充填空間側に弾性変形することでノズルの装着筒に設けた弁座から離間して環状の隙間を貫通路に通じさせる外気吸入弁としてなり、
仕切壁に、環状の隙間を充填空間に通じさせる貫通孔を形成したことを特徴とするノズル付き押出容器。
【発明の詳細な説明】
【技術分野】
【０００１】
本発明は、容器本体の底壁の押し込みにより、ノズルの貫通路から内容物を注出するノズル付き押出容器に関するものである。
【背景技術】
【０００２】
容器本体の底壁を押し込むことにより、ノズルの貫通路を通して内容物を外界に注出するものとしては、例えば、滴下式注出容器と呼ばれるものがある（例えば、「特許文献１」参照）。
【先行技術文献】
【特許文献】
【０００３】
【特許文献１】実公平０４−４３５００号公報
【発明の概要】
【発明が解決しようとする課題】
【０００４】
しかしながら、こうした容器は、ノズルの先端を下に向ける等すると、ノズルから内容物が垂れ易いという問題があった。また、こうした容器は、底壁の押し込みにより内容物を取り出す構造のため、容器本体内の圧力が上昇すると、内容物が飛び出す（噴出する）ことがある。
【０００５】
本発明の目的とするところは、底壁を押し込むことで充填空間を加圧して内容物を外界に圧送する一方、押し込みの解除によって外気を導入することで、再び底壁の押し込みにより、内容物を圧送が可能となるノズル付き押出容器にあって、予期せぬ内容物の噴出や垂れを防止することにある。
【課題を解決するための手段】
【０００６】
胴体部分を形成する周壁と当該周壁の下端に繋がる底壁とを有して周壁と底壁によって形成された充填空間に内容物が充填される容器本体と、周壁の開口端に固定保持される装着筒および該容器本体の軸線に沿って延びる貫通路を有し、底壁の押し込みによって圧送された内容物が貫通路を通して外界に排出される一方、押し込みの解除によって外気が貫通路を通して吸入されるノズルとを備えたノズル付き押出容器であって、
周壁の開口端の内側に、ノズルの貫通路に向かって突出して充填空間から圧送された内容物を貫通路側に通じさせる開口部を有して先端部頂面がノズルの貫通路に直交する平面状の弁座としてなる仕切壁を設けると共に、当該仕切壁に弾性弁を設け、
当該弾性弁は、仕切壁に差し込まれる下端開口部が形成されるとともに該下端開口部の側から仕切壁の先端部頂面の側に向かって延在する延在部と該延在部に連なるとともに該延在部から離れるに連れて縮径する縮径部と該縮径部から内向きに折り返された折り返し部と該折り返し部に前記先端部頂面に向かって突出して設けられた環状の先端側端縁とを備えた筒状の基部を有し、当該筒状の基部の先端側端縁が当該弁座に全周に亘って着座して充填空間と貫通路との間を仕切ると共に、内容物の圧送により貫通路側に弾性変形することで弁座から離間して充填空間を貫通路に通じさせる吐出弁としてなる一方、
当該筒状の基部の外周側から突出した外周側端縁がノズルの装着筒に設けた弁座に全周に亘って着座して当該筒状の基部と装着筒との間に形成された環状の隙間と貫通路との間を仕切ると共に、環状の隙間に生じた負圧により充填空間側に弾性変形することでノズルの装着筒に設けた弁座から離間して環状の隙間を貫通路に通じさせる外気吸入弁としてなり、
仕切壁に、環状の隙間を充填空間に通じさせる貫通孔を形成することを特徴とするものである。
【発明の効果】
【０００８】
本発明によれば、容器を倒立させても、内容物を積極的に加圧しない限り、吐出弁によりノズルの貫通路が遮断されているため、内容物の噴出や垂れを生じることがない。このため、本発明によれば、予期せぬ内容物の噴出や垂れを生じないノズル付き押出容器を提供することができる。
【０００９】
また、本発明は、吐出弁と外気吸入弁とが一体に構成されているため、部品点数の削減を図りつつ、簡易な構造を実現することができる。
【００１０】
更に、本発明は、上述のとおり、充填空間の内容物を貫通路まで圧送する経路と、貫通路から導入した外気を充填空間に導入するまでの経路とを分けたため、吐出弁の先端に空気が巻き込まれることがないから、安定した吐出が可能となる。
【図面の簡単な説明】
【００１１】
【図１】本発明に従う、ノズル付き押出容器の一形態を一部断面で示す側面図である。
【図２】図１の弾性弁及びその周辺を示す拡大図である。
【図３】参考例の弾性弁及びその周辺を一部断面で示す拡大図である。
【発明を実施するための形態】
【００１２】
以下、図面を参照して、本発明に従う、ノズル付き押出容器の各形態を詳細に説明する。
【００１３】
図中、符号１は、容器本体である。容器本体１は、胴体部分を形成する周壁２と、この周壁２の下端に繋がる底壁３とを有する。これにより、容器本体１は、周壁２と底壁３によって内容物が充填される充填空間Ｓ0を形成する。底壁３は、外部からの押し込みにより変形し、その押し込みを解除することにより復元する弾性材料からなる。また、底壁３は、周壁２に対してリング部材４によって抜け止め保持されている。
【００１４】
符号５は、貫通路Ｒを有するノズルである。ノズル５は、その下端を拡径させてなる肩部６から装着筒７が一体に垂下する。装着筒７は、肩部６に繋がる外筒７ａに、フランジ７ｂを介して嵌合筒７ｃが一体に繋がる。ノズル５は、嵌合筒７ｃを介して周壁２の開口端に、スプライン嵌合Ｃ1及びアンダーカット嵌合Ｃ2によって固定保持される。
【００１５】
これにより、ノズル５は、底壁３が押し込まれることによって充填空間Ｓ0から圧送された内容物を、貫通路Ｒを通して外界に排出する一方、底壁３の押し込みが解除されることによって貫通路Ｒを通して外気を導入する。
【００１６】
周壁２の開口端の内側には、ノズルの貫通路Ｒに向かって突出する、先細り状の仕切壁が一体に設けられている。仕切壁は、図２に示すように、周壁２の内周面と環状の内向きフランジ８を介して繋がる大径筒部９と、この大径筒部９と環状の段差部１０を介して繋がる小径筒部１１とを有する。仕切壁の先端部１２は、後述のように弁座として機能し、小径筒部１１の周方向に間隔を空けて配置された複数のアーム１３で保持されている。これにより、仕切壁には、アーム１３の間に、小径筒部１１の上端開口を通して充填空間Ｓ0に通じる複数の開口部Ａ1が形成されている。
【００１７】
符号２０は、変形及び復元の可能な、例えば、ゴムやエラストマ等の弾性材料からなる弾性弁である。弾性弁２０は、図２に示すように、筒状の基部（以下、「筒状基部」）２１を有する。この筒状基部１１には、仕切壁の小径筒部１１に差し込まれる下端開口部が形成されている。これにより、弾性弁２０は、仕切壁の小径筒部１１に嵌合保持されている。
【００１８】
また、筒状基部２１の先端側部分２３は、仕切壁の先端部（以下、「弁座」）１２の頂面ｆ1に向かって延在する延在部２３ａと、頂面ｆ1に向かって縮径する縮径部２３ｂと、この縮径部２３ｂから頂面ｆ1の上側から内向きに折り返す折り返し部２３ｃとを有し、折り返し部２３ｃの内側には開口部Ａ2が形成されている。
【００１９】
また折り返し部２３ｃには、開口部Ａ2に沿って頂面ｆ1に向かって突出する環状の先端側端縁２３ｄが設けられている。先端側端縁２３ｄは、弁座１２の頂面（以下、「座面」）ｆ1に全周に亘って着座して仕切壁の開口部Ａ1を閉じることで、充填空間Ｓ0と、ノズルの貫通路Ｒとの間を仕切っている。これにより、先端側部分２３は、充填空間Ｓ0からの内容物が開口部Ａ1を通して圧送されない限り、実線に示すように、弁座１２に着座して内容物の流出を阻止するが、充填空間Ｓ0から内容物が圧送されると、破線に示すように、下流側（図面上向きの側）に弾性変形することで、弁座１２から離間して、弾性弁２０の開口部Ａ2と仕切壁の開口部Ａ2とを介して充填空間Ｓ0を貫通路Ｒに通じさせる。即ち、先端側部分２３は、吐出弁として機能する。
【００２０】
なお、本発明に従えば、吐出弁として機能は、折り返し部分２３ｃ及び先端側端縁２３ｄだけでも可能であるが、本形態の如く、先端側部分に縮径部２３ｂを設ければ、吐出弁としての開閉動作が良好なものとなる。
【００２１】
他方、筒状基部２１の外周側から突出した外周側部分２４は、装着筒７に向かって拡径し、その外周側端縁１４ａがフランジ（弁座）７ｂの裏面（以下、「座面」）ｆ2に全周に亘って着座して筒状基部２１と装着筒７との間に形成された環状の隙間（以下、「環状隙間」）Ｓ2と貫通路Ｒとを仕切っている。これにより、外周側部分２４は、充填空間Ｓ0に負圧が生じない限り、実線で示すように、フランジ７ｂに着座して外気の流入を阻止するが、充填空間Ｓ0に負圧が生じると、破線に示すように、上流側（図面下向きの側）に弾性変形することで、フランジ７ｂから離間して、貫通路Ｒを環状隙間Ｓ2に通じさせる。
【００２２】
そして、仕切壁の大径筒部９には、環状隙間Ｓ2を充填空間Ｒに通じさせる貫通孔Ａ3が形成されている。即ち、外周側部分２４は、外気吸入弁として機能する。なお、貫通孔Ａ3については、先端部１２と同様、大径筒部９を複数のアームで構成し、当該アームの相互間に形成された開口部をもって貫通孔Ａ3とすることができる。
【００２３】
本形態によれば、容器本体１の底壁３を押し込むと、内容物を充填した充填空間Ｓ0の圧力が増大することにより、先端側部分（以下、「吐出弁」）２３が開放される。即ち、内容物は、底壁３を押し込むと、吐出弁２３からノズル５の貫通路Ｒを通して外界に圧送される。他方、外気吸入弁２４は、充填空間Ｓ0に負圧が生じていないため、開放されることがない。このため、外気は、底壁３の押し込みによっては貫通路Ｒを通して充填空間Ｓ0に導入されることがない。
【００２４】
これに対し、底壁３の押し込みを解除すると、底壁３の復帰により充填空間Ｓ0に負圧が生じることにより、外気吸入弁２４が開放される。即ち、外気は、底壁３の押し込みが解除されると、貫通路Ｒから外気吸入弁２４を通して充填空間Ｓ0に吸入される。他方、吐出弁２３は、充填空間Ｓ0が加圧されていないため、初期位置（図２の実線）に復元し、開放されることがない。このため、内容物は、底壁３の押し込みの解除によっては貫通路Ｒを通して外界に圧送されることがない。
【００２５】
従って、本形態によれば、容器を倒立させても、内容物を積極的に加圧しない限り、吐出弁２３によりノズル５の貫通路Ｒが遮断されているため、内容物の噴出や垂れを生じることがない。このため、本形態によれば、予期せぬ内容物の噴出や垂れを生じないノズル付き押出容器を提供することができる。
【００２６】
また、本形態は、吐出弁２３と外気吸入弁２４とが一体に構成されているため、部品点数の削減を図りつつ、簡易な構造を実現することができる。
【００２７】
更に、本形態は、上述のとおり、充填空間Ｓ0の内容物を貫通路Ｒまで圧送する経路と、貫通路Ｒから導入した外気を充填空間Ｓ0に導入するまでの経路とを分けたため、吐出弁２３の先端側端縁２３ｄに空気が巻き込まれることがないから、安定した吐出が可能となる。
【００２８】
図３は、参考例のノズル付き押出容器の要部拡大側面図である。参考例の形態では、弾性弁は、同形態の弾性弁２０のように、筒状基部２１の先端側端縁２３ｄは、仕切壁の先端部側面ｆ3に着座する。なお、本参考例において、図１及び２と同一の部分は同一の符号をもって、その説明を省略する。
【００２９】
上述したところは、本発明の一形態を示したにすぎず、本発明に従えば、種々の変更を加えることができる。例えば、本形態では、ノズル５には、バージンキャップ４０が設けられている。バージンキャップ４０は、肩部６に固定される本体３１と、この本体４１に対して破断によって分離可能なオーバーキャップ４２とで構成されているが、キャップはこれに限定されるものではなく、様々なタイプのキャップを採用することができる。また、ノズル５を容器本体に装着する手段も、スプライン嵌合Ｃ1とアンダーカット嵌合Ｃ2との組み合わせによるものだけでなく、凹凸や凸同士の嵌合等の様々な手段を採用できる。
【産業上の利用可能性】
【００３０】
本発明は、底壁の押し込みによって圧送された内容物が貫通路を通して外界に排出される一方、押し込みの解除によって外気が貫通路を通して吸入されるノズル付き押出容器であれば、化粧用容器、医療用容器等の、様々な容器に適用することができる。
【符号の説明】
【００３１】
１      容器本体
２      周壁
３      底壁
４      リング部材
５      ノズル
６      肩部
７      装着筒
８      フランジ
９      大径筒部
１０    段差部
１１    小径筒部
１２    先端(弁座)
１３    アーム
２０    弾性弁
２１    筒状基部
２３    先端側部分（吐出弁）
２３ａ  延在部
２３ｂ  縮径部
２３ｃ  折り返し部
２３ｄ  先端側端縁
２４    外周側部分(外気吸入弁)
２４ａ  外周側端縁
ｆ1     先端部頂面（吐出弁用座面）
ｆ2     装着筒裏面（吸入弁用座面）
ｆ3     先端部側面（吐出弁用座面）
Ｓ0     充填空間
Ｓ2     環状隙間
【図１】
0005680908.tif 000002
【図２】
0005680908.tif 000003
【図３】
0005680908.tif 000004